(57)【特許請求の範囲】
【請求項１】
印鑑の印影画像を取得する入力部と、
前記印影画像を記憶する記憶部と、
前記印影画像の一部をマスク領域として隠蔽した状態のマスク処理印影画像を出力する出力部とを備えた印影画像処理システムであって、
前記マスク領域を前記印影画像に応じて調整するマスク領域調整部と、
調整したマスク領域が前記印影画像に適切か否か評価するマスク領域評価部と、
該マスク領域評価部により適切であると評価したマスク領域を採用するマスク領域決定部とを備え、
前記記憶部は、前記印影画像を氏情報と共に記憶する構成であり、
前記マスク領域評価部は、
前記出力部での出力対象である前記印影画像と氏情報が一致する他の印影画像を前記記憶部から抽出し、
該抽出した他の印影画像と出力対象の前記印影画像とを、両画像の前記マスク領域がマスクされた状態で比較して、所定値以上の差があれば適切であると評価する構成である
印影画像処理システム。
【請求項２】
前記マスク領域は、
前記印影画像の中心と外周とを結ぶ２つのガイドラインの間の領域であり、
前記マスク領域調整部は、前記中心を回転軸として前記ガイドラインを回転させることで前記マスク領域を調整する構成である
請求項１記載の印影画像処理システム。
【請求項３】
前記２つのガイドラインは、第１ガイドラインと第２ガイドラインで構成され、
前記マスク領域調整部は、前記第１ガイドラインと前記第２ガイドラインをそれぞれ別個に回動させて調整する構成である
請求項２記載の印影画像処理システム。
【請求項４】
前記マスク領域調整部は、
前記マスク領域を狭める方向へ前記ガイドラインを回動させ、
該回動が不適切であれば、該ガイドラインを逆方向となる広げる方向へ回動させる構成である
請求項３記載の印影画像処理システム。
【発明の詳細な説明】
【技術分野】
【０００１】
この発明は、例えば印影を含む帳票から印影画像を読み取って印鑑登録する印鑑登録装置に用いられるような印影画像処理システムに関する。
【背景技術】
【０００２】
銀行等の金融機関は、預金引き出し等の取引業務の際に、本人確認手段として印鑑照合を用いている。このため、口座開設時に印鑑の登録を行っている。
【０００３】
従来、登録された印鑑がどれであるかを利用者が識別できるように、通帳に印鑑欄を設けて登録印鑑を押捺している場合が多かった。しかし、通帳が盗難にあった際に印影が偽造される問題があり、通帳の印鑑欄を廃止する方向に向かいつつある。
【０００４】
通帳の印鑑欄を廃止した場合、利用者が複数所有する印鑑のうちどれを用いて登録したのかを知らせるために、印影を画面表示もしくは紙に印刷して渡す等して、該利用者に印鑑その場で識別してもらう必要がある。この場合も、通帳に印鑑欄を設けた場合と同様に偽造等される問題に対処することが必要である。このため、画面表示及び紙に印刷する公開領域と非公開領域を分離するためのマスク処理を施す方法が提案されている（特許文献１参照）。
【先行技術文献】
【特許文献】
【０００５】
【特許文献１】特開２００２−１０９５４５号公報
【発明の概要】
【発明が解決しようとする課題】
【０００６】
しかし、前記従来技術は、公開領域と非公開領域を分割する方法について言及されていない。この公開領域は、全ての印影に対して適切に設定されないと、必要以上の情報を公開してしまうこととなり、偽造防止等の本来の目的に合致しないといった問題がある。
【０００７】
また一方で、この公開領域を人手によって適切に設定しようとすると、負荷が集中し、登録業務に支障をきたすおそれがある。
【０００８】
この発明は、上述した問題に鑑み、印影の公開領域と非公開領域を定めるマスク領域を適切に設定できる印影画像処理システムを提供し、利便性を向上させることを目的とする。
【課題を解決するための手段】
【０００９】
この発明は、印鑑の印影画像を取得する入力部と、前記印影画像を記憶する記憶部と、前記印影画像の一部をマスク領域として隠蔽した状態のマスク処理印影画像を出力する出力部とを備えた印影画像処理システムであって、前記マスク領域を前記印影画像に応じて調整するマスク領域調整部と、調整したマスク領域が前記印影画像に適切か否か評価するマスク領域評価部と、該マスク領域評価部により適切であると評価したマスク領域を採用するマスク領域決定部とを備え、前記記憶部は、前記印影画像を氏情報と共に記憶する構成であり、前記マスク領域評価部は、前記出力部での出力対象である前記印影画像と氏情報が一致する他の印影画像を前記記憶部から抽出し、該抽出した他の印影画像と出力対象の前記印影画像とを、両画像の前記マスク領域がマスクされた状態で比較して、所定値以上の差があれば適切であると評価する構成である印影画像処理システムであることを特徴とする。
【発明の効果】
【００１０】
この発明により、印影の公開領域と非公開領域を定めるマスク領域を適切に設定することができ、利便性を向上させることができる。
【図面の簡単な説明】
【００１１】
【図１】印鑑検索システムの構成を示すブロック図。
【図２】マスクパターンの一例を説明する説明図。
【図３】印影画像データ及びマスク画像データの登録処理のフローチャート。
【図４】マスクパターン選択処理の詳細な動作を示すフローチャート。
【図５】マスク画像データの選択を説明する説明図。
【図６】公開領域の評価（突合処理）を説明する説明図。
【発明を実施するための形態】
【００１２】
この発明の一実施形態を以下図面と共に説明する。  
【実施例】
【００１３】
先ず、本実施形態に係るシステムの概略構成について図１に基づき説明する。この図１は、印影画像処理システムとしての印鑑検索システム１の構成を示すブロック図である。  
印鑑検索システム１は、主に登録用ＰＣ１０２と、表示用ＰＣ１０８と、記憶部としての印影データベース１０６と、マスクデータベース１０７とが通信可能に接続されて構成されている。
【００１４】
登録用ＰＣ１０２は、表示部１０３とスキャナ１０４を有しており、ＬＡＮ１０５に接続されている。この登録用ＰＣ１０２は、入力部として機能するスキャナ１０４により、印影を含む帳票１０１を読み取る。このスキャナ１０４は、印影を含む帳票１０１を画像データとして取り込む光学読取部である。
【００１５】
登録用ＰＣ１０２は、帳票１０１から印影イメージデータを読み取る読取処理を行い、読み取った印影イメージデータを印影画像データ１０６ａとして印影データベース１０６に登録する。詳述すると、この読取処理の際、登録用ＰＣ１０２は、スキャナ１０４で取り込んだ画像データを２値化する２値化処理部として機能し、さらに、この２値化した画像データから印影領域を抽出する印影領域抽出部としても機能する。また、印影データベース１０６に印影画像データ１０６ａを登録する際、口座情報や氏名情報などの帳票データもあわせて登録する。
【００１６】
ＬＡＮ１０５には、印影データベース１０６とマスクデータベース１０７が接続されている。この印影データベース１０６とマスクデータベース１０７は、異なるサーバに別々に設けられる構成として図示しているが、１つのサーバに両方設けられる構成としてもよい。
【００１７】
印影データベース１０６は、印影画像データ１０６ａを、帳票１０１から読み取る氏名データや口座番号データなどの帳票データと共に記憶している。  
マスクデータベース１０７は、マスク画像データ１０７ａを、印影データベース１０６と関連付けられる口座番号データなどの識別データとともに記憶している。
【００１８】
表示用ＰＣ１０８は、オペレータ用表示部１０９と、出力部としてのエンドユーザ用表示部１１０およびプリンタ１１１とを有している。  
登録された印影画像データ１０６ａを利用する場合、表示用ＰＣ１０８は、印影画像データ１０６ａ及びマスク画像データ１０７ａを用いて、印影画像データ１０６ａをマスク処理したマスク処理印影画像１１０ａをエンドユーザ用表示部１１０に表示することや、プリンタ１１１からマスク処理したマスク処理印影画像１１２ａを印刷した印影帳票１１２を出力することを実行する。
【００１９】
マスク処理では、マスクデータベース１０７に印影画像データ１０６ａ毎に登録されているマスク画像データ１０７ａを参照し、このマスク画像データ１０７ａで印影画像データ１０６ａをマスクして、公開領域と非公開領域に分けて公開領域のみ表示または印刷可能とする。  
なお、マスク処理を行う表示用ＰＣ１０８は、マスク画像データ１０７ａを適用して出力するマスク適用部として機能する。
【００２０】
図２は、マスクパターンの一例を説明する説明図であり、主な印鑑の外形サイズを示す印鑑外形４００を用いて、マスクパターンの変更も含めて表の（Ａ）〜（Ｄ）により説明している。  
本例のマスクパターンは、表の（Ａ）に示すように、印鑑外形４００の中心を通る半径線となる基準境界線４０７（第１ガイドライン）と移動境界線４０８（第２ガイドライン）とにより、公開領域４０１と非公開領域４０２（マスク領域）に分割して構成されている。公開領域４０１は、印影画像データ１０６ａのうち公開領域４０１に該当する箇所を画面に表示したり印刷できるようにするものである。本例では公開領域４０１と非公開領域４０２を示すために、図示扇形の角度α°を公開角度４０３とし、水平線を基準とした傾きβ°を基準角度４０４としている。このαとβを調整すること、すなわち基準境界線４０７と移動境界線４０８を、表の（Ｂ）〜（Ｄ）に示すように変動させることで、マスクパターン（非公開領域４０２）を変更することができる。
【００２１】
図３は、登録用ＰＣ１０２の制御部が印影画像データ１０６ａ及びマスク画像データ１０７ａを登録する登録処理のフローチャートである。  
登録用ＰＣ１０２の制御部は、スキャナ１０４から帳票１０１を読み込む帳票読込み処理を行い（ステップＳ１）、読み込んだ帳票１０１の画像から、印影部や口座番号、氏名、住所等の記載領域の切り出しを行う（ステップＳ２）。
【００２２】
登録用ＰＣ１０２の制御部は、切り出した氏名領域に対して氏名読取りを実施する（ステップＳ３）。氏名読取りにより当該帳票１０１の印鑑の持ち主の氏名を読み取り、この氏名をキーとし、印鑑データベースにその氏名が登録されていれば（ステップＳ４：Ｙｅｓ）、その登録されている印影画像データ１０６ａを抽出する。なお、氏名が読み取れなかった場合、口座番号等で印影データベース１０６から同等の情報が得ることもできる場合も、同様の処理とする。
【００２３】
次に、登録用ＰＣ１０２の制御部は、ステップＳ２の領域切り出しの処理によって切り出された印影部の印影画像データ１０６ｂ（図５参照）との突合せ処理時に適切なマスクパターンを選択する処理を行う（ステップＳ５）。
【００２４】
その結果選択されたマスクパターンを、登録用ＰＣ１０２の制御部は、マスク画像データ１０７ａとしてマスクデータベース１０７に登録する（ステップＳ７）。
【００２５】
前記ステップＳ４の際、比較する印影がない印影画像データ１０６ｂについては、初期マスクパターン設定処理として、通常は基本となる半円のマスクパターン（例えば、公開角度４０３が１８０°、基準角度４０４が９０°）を設定し（ステップＳ６）、登録する（ステップＳ７）。
【００２６】
図４は、マスクパターン選択処理の詳細な動作を示すフローチャートである。  
登録用ＰＣ１０２の制御部は、基準境界線４０７の変更を行う（ステップＳ１１）。この基準境界線４０７の変更は、印影の中心を回転軸として時計周りまたは反時計回りの一方向へ所定角度ずつ変更するとよい。最初の時点では、図２（Ａ）に示したように、この変更処理によって基準角度４０４が９０°となるように、すなわち基準角度４０４が印鑑外形４００の中心からまっすぐ上方に位置するようにするとよい。
【００２７】
登録用ＰＣ１０２の制御部は、移動境界線４０８の変更を行う（ステップＳ１２）。この移動境界線４０８の変更は、図２（Ｂ）に示したように、印影の中心を回転軸として公開角度４０３を狭める方向へ所定角度ずつ変更するとよい。最初の時点では、この変更処理によって公開角度４０３が１８０°となるように、すなわち公開角度４０３が印鑑外形４００の中心からまっすぐ下方に位置するようにするとよい（図２（Ａ）参照）。
【００２８】
登録用ＰＣ１０２の制御部は、変更後の公開角度４０３が適切か否か評価する（ステップＳ１３）。この評価は、ステップＳ３で読み取っていた氏名をもとに、印影データベース１０６から同姓の印影画像データ１０６ａを抽出し、この抽出した印影画像データ１０６ａと処理対象の印影画像データ１０６ｂ（図５参照）とを比較して公開領域４０１での差が所定値以上であれば適切と評価する突合処理により行う。抽出した同姓の印影画像データ１０６ａが複数ある場合には、これら抽出した各印影画像データ１０６ａと処理対象の印影画像データ１０６ｂとの公開領域４０１での差を個別評価し、個別評価した結果の平均値が所定値以上であれば適切と評価する。抽出した同姓の印影画像データ１０６ａが多すぎる場合には、ランダムで所定個数（例えば１０個）に絞り込んで処理する。
【００２９】
評価結果がＯＫであれば（ステップＳ１４：Ｙｅｓ）、登録用ＰＣ１０２の制御部は、ステップＳ１２へ処理を戻し、公開角度４０３を狭める方向へ移動境界線４０８を変更して再評価する。これを繰り返すことにより、公開領域４０１を必要最小限の狭い領域にしようとしている。
【００３０】
評価結果がＮＧであれば（ステップＳ１４：Ｎｏ）、登録用ＰＣ１０２の制御部は、ステップＳ１１とＳ１２の変更がいずれも一回目か否か判定する（ステップＳ１５）。
【００３１】
一回目であれば（ステップＳ１５：Ｙｅｓ）、公開領域４０１を狭める前に評価ＮＧとなったのであるから、登録用ＰＣ１０２の制御部は、図２（Ｃ）に示したように公開角度４０３を広げる方向に移動境界線４０８を変更する（ステップＳ１６）。
【００３２】
登録用ＰＣ１０２の制御部は、ステップＳ１３と同じ公開領域４０１の評価を行い（ステップＳ１７）、評価ＮＧであれば（ステップＳ１８：Ｎｏ）、ステップＳ１６へ処理を戻し、公開角度４０３を広げる方向へ移動境界線４０８を変更して再評価する。この繰り返しにより、公開領域４０１を必要最小限の範囲で適切な広さまで広げようとしている。
【００３３】
評価ＯＫであれば（ステップＳ１８：Ｙｅｓ）、登録用ＰＣ１０２の制御部は、予め定められた全ての範囲での評価が終了したか否か判定し、終了するまで（ステップＳ１９：Ｎｏ）、ステップＳ１１に処理を戻し、図２（Ｄ）に示したように基準境界線４０７を予め定めた所定角度だけ変更してこれまでの処理を繰り返す。
【００３４】
これにより、基準境界線４０７を予め定めた所定角度ずつ変更して評価を行い、全ての角度あるいは予め定められた範囲の角度で評価を行うことができる。なお、基準境界線４０７の角度を変更した際、移動境界線４０８の角度を定める公開角度４０３は図２（Ｄ）に示したように１８０°として開始する。
【００３５】
このステップＳ１９までの一連の処理により、その処理の基準境界線４０７での最適な公開領域４０１（公開角度４０３および基準角度４０４によって定められる領域）が定まる。すなわち、処理中の基準角度４０４に対して、ステップＳ１４でＮＧとなった１つ手前の公開角度４０３か、あるいはステップＳ１８でＹＥＳとなったときの公開角度４０３（ステップＳ１４でＹｅｓが１度も無い場合に採用される）が、他の印影と比較可能でかつ公開面積が少ない公開角度４０３となる。
【００３６】
予め定められた全ての範囲での評価が終了すれば（ステップＳ１９：Ｙｅｓ）、登録用ＰＣ１０２の制御部は、最終評価を行う（ステップＳ２０）。この最終評価は、処理を実行した全ての基準角度４０４について、それぞれの最適な公開角度４０３のときの公開領域４０１を比較し、公開領域４０１が最も少ない基準角度４０４とその公開角度４０３を最適であるとして評価する。この最終評価を行う登録用ＰＣ１０２の制御部は、マスク領域決定部として機能する。
【００３７】
登録用ＰＣ１０２の制御部は、最適であるとして定めた基準角度４０４と公開角度４０３で定められる非公開領域４０２を、マスク画像データ１０７ａとしてマスクデータベース１０７に登録し（ステップＳ２１）、処理を終了する。
【００３８】
なお、上述したステップＳ１１，Ｓ１２，Ｓ１６を実行する登録用ＰＣ１０２の制御部は、マスク領域調整部として機能する。また、ステップＳ１３，Ｓ１７，Ｓ２０を実行する登録用ＰＣ１０２の制御部は、マスク領域評価部として機能する。
【００３９】
図５は、以上の動作を行う印鑑検索システム１によるマスク画像データ１０７ａの選択を説明する説明図である。  
この説明図に示すように、スキャナ１０４（図１参照）で読み取った帳票１０１から、予め定義情報３０２に登録された位置情報を用いて、氏名情報１０１ａ及び印影１０１ｂの領域抽出を行う。
【００４０】
氏名画像３０３は、氏名情報１０１ａを記載したエリアを抽出した画像であり、これを文字列認識することで、少なくとも氏を含む文字列３０５（氏情報）を得ることができる。例えば“日立太郎”であった場合、印影データベース１０６から口座に登録されている氏名のうち氏の“日立”に該当する印影画像データ１０６ａを抽出することができる。これは単数に限らず、複数存在すれば複数抽出することができる。
【００４１】
一方、印影画像データ１０６ｂは、帳票１０１から印影１０１ｂを記載したエリアを抽出した印影イメージデータである。この印影画像データ１０６ｂと前述の印影画像データ１０６ａとマスク画像データ１０７ａを突合処理部３０９で突合処理し、この結果として適切なマスク画像データ１０７ａを選択した上で、マスクデータベース１０７に登録し、マスク画像ナンバー１０７ｂを取得する。
【００４２】
このようにして今回抽出した印影画像データ１０６ｂを、登録用ＰＣ１０２の制御部は、口座番号等の情報とマスク画像ナンバー１０７ｂとともに印影データベース１０６に登録する。
【００４３】
図６は、公開領域４０１の評価（突合処理）を説明する説明図である。  
登録帳票１０１から切り出した印影画像データ１０６ｂと、印影データベース１０６から比較対象として抽出した印影画像データ１０６ａを重ね合わせした処理結果である重ね合わせ画像５０３に対し、非公開領域４０２を重ね合わせたときに得られるイメージデータが公開領域重ね合わせ画像５０５である。公開領域重ね合わせ画像５０５の表示エリアについて、登録用ＰＣ１０２の制御部は、印影画像データ１０６ｂと印影画像データ１０６ａの画素の重なり度を評価結果値として求める。マスクパターンの調整値である公開角度４０３と基準角度４０４を用いて作成した別の非公開領域４０２についても同様に評価結果値を求め、パラメータとして与えられた基準値以上を満たすもののうち、最も表示エリアが小さい非公開領域４０２を最適なマスク画像データ１０７ａとして選定する。なお、表示エリアの最小は、例えばα＝４５°といったように公開角度４０３を所定角度以上とするように設定することもできる。
【００４４】
以上に説明した構成および動作により、印影の公開領域４０１と非公開領域４０２を定めるマスク領域（非公開領域４０２）を印影毎に適切に設定することができる。
【００４５】
これにより、印影毎に最適なマスク画像データ１０７ａを自動的に設定することができるため、印影画像データ１０６ｂ全体のうち必要な印影部分のみを利用者に提供することができ、かつセキュリティを保持することができる。また、マスク画像データ１０７ａの登録者の負荷をさげることができる。
【００４６】
登録された印影の公開領域４０１／非公開領域４０２を決定するマスク画像データ１０７ａを、印影画像データ１０６ｂに応じて適切に自動設定することができ、適切な公開領域４０１を決定してセキュリティレベルを高めることができる。
【００４７】
また、このようにセキュリティレベルを高めた状態で、登録された印鑑がどれであるかを利用者が識別できるように登録印の印影画像データ１０６ｂをエンドユーザ用表示部１１０に表示する、またはプリンタ１１１により紙に印刷することができる。
【００４８】
公開領域４０１は、移動境界線４０８を変更しつつ適切さを評価し、さらに基準境界線４０７も変更して適切さを評価するため、必要最小限の小さな領域で、かつ他の同一氏名の印影との違いを目視で認識し得る適切な広さの領域にすることができる。つまり、最小限の公開領域４０１で、利用者は多数所有する自己の印鑑のうちどの印鑑で登録したのかを認識することができる。
【００４９】
移動境界線４０８の変更や基準境界線４０７を自動的に実行して評価する構成であるため、短時間で多種類の公開領域４０１の候補を作成でき、そこから最適な公開領域４０１を定めてマスク画像データ１０７ａを決定することができる。
【００５０】
また、移動境界線４０８と基準境界線４０７をそれぞれ回転させて定めるため、より印影画像データ１０６ａの氏（または氏名）に合ったマスク画像データ１０７ａを定めることができる。
【００５１】
また、移動境界線４０８の変更を、公開角度４０３が１８０°の状態から狭める方向へ変更して評価し、狭められなければ広げる方向へ変更して評価するため、効率よく短時間に最も狭い公開角度４０３を定めることができる。
【００５２】
また、印影画像データ１０６ａ，１０６ｂは、利用者の氏あるいは氏名を表していることを利用し、帳票１０１に表記されている氏名を読み取った氏名画像３０３から文字列３０５を作成し、それによって氏あるいは氏名を認識する構成であるから、印影登録時の印影文字の入力負担を軽減することができる。すなわち、適切な公開領域４０１となるマスク画像データ１０７ａを求めるために、登録対象である印影画像データ１０６ａと同じ文字が刻印されている既登録の印影画像データ１０６ｂを抽出することが必要になるが、このための文字を氏名画像３０３から自動抽出することができる。
【００５３】
また、公開角度４０３が所定角度以上であることを公開領域４０１の下限とすることで、コンピュータが違いを認識できても人間が違いを認識できないほどに公開領域４０１が小さな領域となることを防止することができる。
【００５４】
なお、この発明は、上述の実施形態の構成のみに限定されるものではなく、多くの実施の形態を得ることができる。
【００５５】
例えば、上述した実施例では、印影の登録時に公開領域４０１を定めてマスク画像データ１０７ａを登録する構成としたが、これに限らず、印影を出力（画面表示や印刷）して利用者に提示する毎に公開領域４０１を定める構成にしてもよい。この場合、出力する都度に公開領域４０１を設定すればよいため、マスクデータベース１０７を省略することができる。
【００５６】
また、基準境界線４０７と移動境界線４０８を変更して公開領域４０１および非公開領域４０２を調整する構成としたが、これに限らず、他の方法で公開領域４０１および非公開領域４０２を調整する構成としてもよい。例えば、公開領域４０１の面積や位置が異なる複数種類のマスク画像データ１０７ａを予め準備しておき、この複数のマスク画像データ１０７ａについて適切か否か順番に評価し、適切と評価できるもので最も面積が小さいマスク画像データ１０７ａを採用する構成とすることができる。この場合でも、上述した実施例と同様の効果を得ることができる。
【００５７】
また、例えば、図２に示したマスク画像データ１０７ａは、公開角度４０３と基準角度４０４のパラメータにより決定されるパターンとしたが、ガウスフィルターのようなボカシ処理のマスクパターンだけとする、またはこれらの組合せのマスクパターンも利用することも可能である。
【産業上の利用可能性】
【００５８】
この発明は、印影を利用して認証する様々なシステムについて、印影を必要最小限の範囲で利用者に見せる場合に利用することができる。
【符号の説明】
【００５９】
１…印鑑検索システム、１０１ｂ…印影、１０２…登録用ＰＣ、１０６…印影データベース、１０６ａ，１０６ｂ…印影画像データ、１０８…表示用ＰＣ、１１０…エンドユーザ用表示部、１１０ａ，１１２ａ…マスク処理印影画像、１１１…プリンタ、３０５…文字列、４０７…基準境界線、４０８…移動境界線
【図１】
0005393296.tif 000002
【図２】
0005393296.tif 000003
【図３】
0005393296.tif 000004
【図４】
0005393296.tif 000005
【図５】
0005393296.tif 000006
【図６】
0005393296.tif 000007